(57)【要約】【課題】平均処理数を大きくすることは、反面流量の変動に対する応答を遅くすることであり、図３に示すように、信号値Ａ、Ｂ、Ｃが０でＤ、Ｅ、Ｆで急激に信号が大きくなっても、例えば３つの信号の平均値を取る場合は、出力信号値Ｄ、Ｅ、Ｆ、Ｇ、Ｈのように徐々に変化するので、急激な変動を示す流量信号Ｄ’、Ｅ’、Ｇ’、Ｈ’、Ｉ’が入力された場合は、表示できないという問題があり、この場合には、平均処理数を減らすことによって対処するしか方法がないという問題があった。【解決手段】流量計１に信号処理装置２が接続され、信号処理装置２に表示装置３が接続され、信号処理装置２は、メモリ機能２ａ、演算機能２ｂ比較機能２ｃ、判定機能２ｄ及び信号変換機能２ｅが設けられている。【選択図】　　　　図１
2004053446.tif 000002
【特許請求の範囲】
【請求項１】
流体の流量信号を出力する流量計と、該流量計からの出力信号を記憶するメモリ、該メモリの出力の複数個の信号を演算して平均値を出力する演算機能、前記流量計からの出力信号と前記演算機能の出力信号を比較する比較機能、該比較機能の出力又は前記演算機能の出力を表示信号に変換する変換機能からなる信号処理装置と、該信号処理装置の信号変換機能の出力を表示する表示装置とからなり、前記流量計の出力を前記メモリに順次記憶し、該メモリに記憶された信号を順次読み出して、前記演算機能で前記複数個の信号の平均値を演算し、該演算値を前記比較機能に入力し、前記流量計から入力された信号と比較して前記演算機能からの平均値より予め定められた閾値以上に大きい時に、前記流量計から入力された信号を表示信号に変換して前記表示装置で表示し、又、前記比較機能に入力された信号が平均値の信号より僅かに変動している時は、前記平均値を前記信号変換機能で変換して前記表示装置で表示することを特徴とする流体の流量測定装置。
【発明の詳細な説明】
【０００１】
【発明が属する技術分野】
本発明は、流量計からの信号のバラツキが大きい場合の流量信号を表示する流体の流量測定装置に関するものである。
【０００２】
【従来の技術】
従来、流量測定装置では、測定された流量信号を出力する際に、数点の流量信号を平均処理することにより、測定値のバラツキを抑えており、この平均処理数を大きくすることによって、高精度に流量を測定することが可能である。
【０００３】
【発明が解決しようとする課題】
しかしながら、このような流量測定装置では、平均処理数を大きくすることは、反面流量の変動に対する応答を遅くすることであり、図３に示すように、信号値Ａ、Ｂ、Ｃが０でＤ、Ｅ、Ｆで急激に信号が大きくなっても、例えば３つの信号の平均値を取る場合は、出力信号値Ｄ、Ｅ、Ｆ、Ｇ、Ｈのように徐々に変化するので、急激な変動を示す流量信号Ｄ’、Ｅ’、Ｇ’、Ｈ’、Ｉ’が入力された場合は、表示できないという問題があり、この場合には、平均処理数を減らすことによって対処するしか方法がないという問題があった。
【０００４】
【課題を解決しようとする手段】
本発明は、流体の流量信号を出力する流量計と、該流量計からの出力信号を記憶するメモリ、該メモリの出力の複数個の信号を演算して平均値を出力する演算機能、前記流量計からの出力信号と前記演算機能の出力信号を比較する比較機能、該比較機能の出力又は前記演算機能の出力を表示信号に変換する変換機能からなる信号処理装置と、該信号処理装置の信号変換機能の出力を表示する表示装置とからなり、前記流量計の出力を前記メモリに順次記憶し、該メモリに記憶された信号を順次読み出して、前記演算機能で前記複数個の信号の平均値を演算し、該演算値を前記比較機能に入力し、前記流量計から入力された信号と比較して前記演算機能からの平均値より予め定められた閾値以上に大きい時に、前記流量計から入力された信号を表示信号に変換して前記表示装置で表示し、又、前記比較機能に入力された信号が平均値の信号より僅かに変動している時は、前記平均値を前記信号変換機能で変換して前記表示装置で表示するものである。
【０００５】
【発明の実施の形態】
本発明では、平均処理数を大きくしたままの状態で、急激な流量の変動に応答するために、入力された流量信号が前回までの平均値と比較して、予め決められた値以上に大きい場合に、入力された変化の大きい流量信号を直接表示信号に変換して表示することにより、流量信号の急激な変化に対応して表示するようにし、又、大きく変化した流量信号が続けて入力された場合は順次入力された信号を表示し、大きく変化した流量信号は順次前の複数個の信号に加算されて平均値が演算機能で演算され、この演算値と次に入力された流量信号とが比較機能で比較され、予め決められた閾値より小さい場合は、平均値を表示する。
【０００６】
【実施例】
図１は本発明の実施例の流体の流量測定装置のブロック図で、流量計１に信号処理装置２が接続され、信号処理装置２に表示装置３が接続され、信号処理装置２は、メモリ機能２ａ、演算機能２ｂ比較機能２ｃ、判定機能２ｄ及び信号変換機能２ｅが設けられている。
【０００７】
このように構成された本実施例では、流量計１からの信号は信号処理装置２のメモリ機能２ａに入力され、メモリ機能２ａに複数個の流量信号が入力されると、メモリ機能２ａから読み出された複数個の流量信号は演算機能２ｂで平均値が演算され、その平均値の信号は比較機能２ｃ及び判定機能２ｄに入力され、比較機能２ｃでは、次に入力された流量信号と演算機能２ｂからの平均値の信号が比較され、その差の信号が予め決められた閾値より小さい場合は、この信号が判定機能２ｄに入力されて、演算機能２ｂからの平均値の信号が信号変換機能２ｅで表示信号に変換されて表示装置３で表示され、又、比較機能２ｃで次に入力された流量信号と演算機能２ｂからの平均値の信号が比較され、その差の信号が予め決められた閾値より大きい場合は、大きい流量信号が判定機能２ｄに入力され、次に入力される信号が大きい信号かどうかを判定して、次も変化の大きい信号が個入力されることを判定機能２ｄで判定することにより、最初に入力された大きい流量信号を信号変換機能２ｅで表示信号に変換して表示装置３で表示し、又、同時に大きい流量信号はメモリ機能２ａに入力され、順次読み出されて小さい流量信号に順次加算され、順次比較機能２ｃに入力された流量信号と比較されるので、メモリ機能２ａに大きい流量信号が順次入力され、演算機能２ｂで演算されると、その平均値は大きくなるので、大きい平均値と大きい流量信号とを比較した場合、その差の信号は閾値より小さいので、演算機能２ｂから出力された大きい平均値が順次信号変換機能２ｅで表示信号に変換されて表示装置３で表示されることになる。
【０００８】
従って、図２に示すように、信号Ａ、Ｂ、Ｃが０で、平均値も０であるが、変化の大きい信号Ｄが流量計１から信号処理装置２に入力されると、比較機能２ｃで信号Ａ、Ｂ、Ｃの平均値に対して大きいので、判定機能２ｄで信号Ｄは変化の大きい信号であると判定し、次に、大きい流量信号Ｅが入力されると、比較機能２ｃで信号Ｂ、Ｃ、Ｄの平均値に対して信号Ｅが大きいので、判定機能２ｄで信号Ｅは変化の大きい信号であると判定するので、順次信号Ｄ、Ｅを表示するが、信号Ｆが入力されても比較機能２ｃで信号Ｄ、Ｅ、Ｆの平均値と比較しても、設定された閾値より小さいので、その後は出力された流量信号の平均値Ｇ、Ｈ、Ｉ、Ｊ、Ｋが順次表示される。
【０００９】
本発明は、このように、平均処理数を大きくしたままの状態で、急激な流量の変動に応答するために、入力された流量信号が前回までの平均値と比較して、予め決められた閾値以上に大きい場合に、最新の流量信号が表示され、予め決められた閾値より小さい流量信号が入力された場合は、入力された流量信号の平均値が表示されるので、流量信号にバラツキがある場合に、正確な流量信号を表示することができる。
【００１０】
【発明の効果】
以上説明したように、本発明の流体の流量測定装置では、平均処理数を大きくしたままの状態で、急激な流量の変動に応答するために、入力された流量信号が前回までの平均値と比較して、予め決められた閾値以上に大きい場合に、入力された変化の大きい最新の流量信号を直接表示信号に変換して表示することにより、流量信号の急激な変化に対応して表示するようにし、さらに、大きく変化した流量信号が続けて入力された場合は順次入力された信号を表示し、大きく変化した流量信号は順次前の複数個の信号に加算されて平均値が演算機能で演算され、この演算値と次に入力された流量信号とが比較機能で比較され、予め決められた閾値より小さい場合は、平均値を表示することができるので、流量信号にバラツキがある場合に正確な流量信号を表示することができるという利点がある。
【図面の簡単な説明】
【図１】本発明の実施例の流体の流量測定装置のブロック図である。
【図２】図１の装置で流量信号を表示した図である。
【図３】従来の流体の流量測定装置で流量を表示した図である。
【符号の説明】
１　　　　　　　　流量計
２　　　　　　　　信号処理装置
２ａ　　　　　　　メモリ機能
２ｂ　　　　　　　演算機能
２ｃ　　　　　　　比較機能
２ｄ　　　　　　　判定機能
２ｅ　　　　　　　信号変換機能
３　　　　　　　　比較装置
【図１】
2004053446.tif 000003
【図２】
2004053446.tif 000004
【図３】
2004053446.tif 000005